(57)【要約】【課題】この発明は、装置を非常にコンパクトにすることができるとともに、大幅な軽量化が図れ、そのコストも飛躍的に低減することができるフィルム切断装置を提供することを目的とするものである。【解決手段】表面にカーブした山からなる凹凸を付けた上ローラおよび下ローラと、上記上ローラを回転自在に軸着した上部ハウジングと、上記下ローラを回転自在に軸着した下部ハウジングと、上部ハウジングおよび下部ハウジングを一定の間隔でマルチフィルムを通過可能に組み付け、上記上ローラおよび／または下ローラを駆動モータで所定の速度で回転させて、マルチフィルムをハウジングから送り出し、所定の長さまでマルチフィルムを引き出した時点でマルチフィルムを切断するロータリカッタと、上ローラおよび／または下ローラのフィルム進行方向の手前に当接して、マルチフィルムの張力を保持する補助ローラとを備えたことを特徴とするフィルム切断装置。【選択図】          図１
2005001057.tif 000002
【特許請求の範囲】
【請求項１】
表面にカーブした山からなる凹凸を付けた上ローラおよび下ローラと、上記上ローラを回転自在に軸着した上部ハウジングと、上記下ローラを回転自在に軸着した下部ハウジングと、上部ハウジングおよび下部ハウジングを一定の間隔でマルチフィルムを通過可能に組み付け、上記上ローラおよび／または下ローラを駆動モータで所定の速度で回転させて、マルチフィルムをハウジングから送り出し、所定の長さまでマルチフィルムを引き出した時点でマルチフィルムを切断するロータリカッタと、上ローラおよび／または下ローラのフィルム進行方向の手前に当接して、マルチフィルムの張力を保持する補助ローラとを備えたことを特徴とするフィルム切断装置。
【請求項２】
上部ハウジングに取手を取り付け、装置全体を持ち運び可能としたことを特徴とする請求項１に記載のフィルム切断装置。
【発明の詳細な説明】
【０００１】
【発明の属する技術分野】この発明は、マルチフィルム敷設の際に使用される装置であって、敷設側でマルチフィルムを切り離すために用いられるフィルム切断装置に関する。
【０００２】
【従来の技術】従来はマルチフィルムの敷設行程が終るたび毎に、フィルムリールから引き出されるマルチフィルムから、既設側のマルチフィルムを切り離していた。すなわち、特開平１０−３０９１３９号公報（特許文献１参照）に示すように、フィルムリールから引出されるマルチフィルムは、下方の土壌面に押え輪によって押え付けられて敷設される。敷設行程が終ると一旦機体走行を停止して、フィルムガイドを移動させて、フィルムリールから押え輪側へ引き出されているマルチフィルム部を受けてフィルムカッターの切断作用域へ移動させる。このときフィルムカッターの切断作用でマルチフィルムを切断して既設側を分離している。
【０００３】また、上記マルチフィルム敷設機は、四輪走行形態のトラクタ車体の後ろ側に昇降可能に連結されている。
【０００４】
【特許文献１】特開平１０−３０９１３９号公報
【０００５】
【発明が解決しようとする課題】しかしながら、敷設行程が終ると一旦機体走行を停止して、フィルムガイドを移動させて、フィルムリールから押え輪側へ引き出されているマルチフィルム部を受けてフィルムカッターの切断作用域へ移動させる方法では、装置が大掛かりとなってしまい、そのコストも大きくなってしまうという問題があった。
【０００６】この発明は、装置を非常にコンパクトにすることができるとともに、大幅な軽量化が図れ、そのコストも飛躍的に低減することができるフィルム切断装置を提供することを目的とするものである。
【０００７】
【課題を解決するための手段】したがって、この発明のフィルム切断装置は、表面にカーブした山からなる凹凸を付けた上ローラおよび下ローラと、上記上ローラを回転自在に軸着した上部ハウジングと、上記下ローラを回転自在に軸着した下部ハウジングと、上部ハウジングおよび下部ハウジングを一定の間隔でマルチフィルムを通過可能に組み付け、上記上ローラおよび／または下ローラを駆動モータで所定の速度で回転させて、マルチフィルムをハウジングから送り出し、所定の長さまでマルチフィルムを引き出した時点でマルチフィルムを切断するロータリカッタと、上ローラおよび／または下ローラのフィルム進行方向の手前に当接して、マルチフィルムの張力を保持する補助ローラとを備えたことを特徴とするものである。
【０００８】この発明のフィルム切断装置は、上記上部ハウジングに取手を取り付け、装置全体を持ち運び可能としたことをも特徴とするものである。
【０００９】この発明によれば装置が非常にコンパクトになり、また大幅な軽量化が図れ、そのコストも飛躍的に低減することができるフィルム切断装置を提供することが可能となった。
【００１０】またフィルムリールを固定した状態で、フィルムのみをフィルム切断装置に張力のかかった状態で保持してフィルムの敷設を行なっており、フィルム切断装置を持ち運びながら、簡単かつ迅速にマルチフィルムの敷設が行なえるようになった。
【００１１】
【発明の実施の形態】以下この発明のフィルム切断装置の実施の形態を、図面に基いて詳細に説明する。
【００１２】図１はこの発明のフィルム切断装置の１実施例を示す斜視図、図２は上部ハウジングおよび下部ハウジングの要部を示す概略図、図３はフィルムカッタの要部を示す概略図、図４は上部ハウジングおよび下部ハウジングを組み付ける状態を示す斜視図、図５（ａ）は上ローラおよび下ローラの組み付け状態を示す側面図、（ｂ）はその展開図、図６（ａ）は上部ハウジングおよび下部ハウジングの内部を示す平面図、（ｂ）はその側面図、（ｃ）は上部ハウジングおよび下部ハウジング間を開いた状態の側面図、図７は装置の平面図、図８は装置の底面図である。
【００１３】この発明においてマルチフィルム切断装置１１は、図１ないし図３に示すように、表面にカーブした山１７からなる凹凸を付けた上ローラ１３および下ローラ１５と、上記上ローラ１３を回転自在に軸着した上部ハウジング１９と、上記下ローラ１５を回転自在に軸着した下部ハウジング２１とを備えている。そして、上部ハウジング１９および下部ハウジング２１を一定の間隔でマルチフィルムを通過可能に組み付けたものである。
【００１４】上部ハウジング１９および下部ハウジング２１内に軸着された上記上ローラ１３および下ローラ１５は、図２に示すように上ローラ１３および／または下ローラ１５の双方もしくはいずれかをＶベルト２３等を介して駆動させる駆動モータ２５により、所定の速度で回転し、マルチフィルム３１を両ハウジング１９，２１間から送り出す。２７，２９はそれぞれＶベルト２３を巻回したフリーギアプーリおよびＶプーリである。
【００１５】図３に示す駆動モータ３３は、いずれかのハウジング１９もしくは２１に取付アーム３５を介して取り付けられ、ロータリカッタ３７を駆動するようになっている。このロータリカッタ３７は、所定の長さまでマルチフィルムを引き出した時点でマルチフィルムを切断するためのものである。そしてマルチフィルムは、各ハウジング前面のガイド板３８の背後からガイド板３８に設けたスリット３９を通して下部ハウジング２１の前面に引き出される。上記ロータリカッタ３７は、下部ハウジング２１の前面に引き出されたマルチフィルム上を下部ハウジング２１に沿って走行可能とした補助ローラ３６に付設され、補助ローラ３６でマルチフィルムの張力を保持した状態で駆動モータ３３を駆動して、ロータリカッタ３７でマルチフィルムを切断するのである。
【００１６】図中４１は、上部ハウジング１９に取り付けた取手である。この取手４１により、フィルム切断装置１１全体が持ち運び可能となり、装置の軽量化と相まって構造が簡単で使いやすいフィルム切断装置を提供することができるようになった。
【００１７】図４ないし図８に基いて、上記フィルム切断装置を構成する各パーツを説明する。
図４において、１９，２１はそれぞれ上部ハウジングおよび下部ハウジングである。この上部ハウジング１９および下部ハウジング２１には、図５に示す上ローラ１３および下ローラ１５がそれぞれ収納され、回転自在に軸着されている。すなわち図５の（ａ）は上ローラ１３および下ローラ１５の側面図であり、図５の（ｂ）は上ローラ１３および下ローラ１５それぞれの展開図である。上ローラ１３および下ローラ１５は、上述のようにそれぞれ表面にカーブした山１７からなる凹凸を付加されている。この凹凸を構成する山１７は、上ローラ１３および下ローラ１５がマルチフィルム３１を挟み込む際に互いに当接し、マルチフィルム３１を確実に保持して繰出すよう機能する。
【００１８】すなわち図６（ａ），（ｂ）に示すように、上部ハウジング１９および下部ハウジング２１内にはそれぞれ上ローラ１３および下ローラ１５が回転自在に収納されている。そして、図６（ｃ）のように、上部ハウジング１９および下部ハウジング２１の一方の側を蝶番等で連結し、他方の側を開閉可能とした上、上記他方の側を開いてマルチフィルム３１をはめ込み、その後上記他方の側を閉じれば準備が完了する。その後、上ローラ１３および／または下ローラ１５の双方もしくはいずれかをＶベルト２３等を介して駆動モータ２５で駆動させることにより、マルチフィルム３１が所定の速度で繰出されるのである。
【００１９】また図７は装置の平面図、図８は装置の底面図で、上部ハウジング１９の上面には取手４１が上述のように取り付けられている。図６の上部ハウジング１９の両側において、２５は上ローラ１３および／または下ローラ１５の双方もしくはいずれかをＶベルト２３等を介して駆動させる駆動モータ、また３６は補助ローラ、３７はロータリカッタ３７である。
【００２０】この発明のフィルム切断装置１１は、フィルムリールから引き出したマルチフィルム３１を、図６（ｃ）のように上部ハウジング１９および下部ハウジング２１の他方の側を開いてはめ込み、その後上記他方の側を閉じて準備を完了しておく。その後、駆動モータ２５で上ローラ１３および／または下ローラ１５を駆動させることにより、マルチフィルム３１が所定の速度で繰出されるのである。
【００２１】マルチフィルム３１の先端を保持して上ローラ１３および／または下ローラ１５を駆動させ、マルチフィルム３１を所定の長さまで引き出した後、駆動モータ３３でロータリカッタ３７を駆動すれば、ロータリカッタ３７が所定の長さまで引き出されたマルチフィルム３１を正確に切断する。なお以上の作業中、フィルム切断装置１１は四輪走行形態のトラクタ車体に取り付けられてマルチフィルム３１の引き出し、切断等の作業をこなすことができる。取手４１はトラクタ車体へのフィルム切断装置１１の取付け、取外しの際に使用される。
【００２２】
【発明の効果】この発明によれば装置が非常にコンパクトになり、また大幅な軽量化が図れ、そのコストも飛躍的に低減することができるフィルム切断装置を提供することが可能となった。
【００２３】またフィルムリールを固定した状態で、フィルムのみをフィルム切断装置に張力のかかった状態で保持してフィルムの切断を行なっており、フィルムの切断を確実に行なうことができ、したがって簡単かつ迅速にマルチフィルムの敷設が行なえるようになった。
【図面の簡単な説明】
【図１】この発明のフィルム切断装置の１実施例を示す斜視図である。
【図２】上部ハウジングおよび下部ハウジングの要部を示す概略図である。
【図３】フィルムカッタの要部を示す概略図である。
【図４】上部ハウジングおよび下部ハウジングを組み付ける状態を示す斜視図である。
【図５】（ａ）は上ローラおよび下ローラの組み付け状態を示す側面図、（ｂ）はその展開図である。
【図６】（ａ）は上部ハウジングおよび下部ハウジングの内部を示す平面図、（ｂ）はその側面図、（ｃ）は上部ハウジングおよび下部ハウジング間を開いた状態の側面図である。
【図７】装置の平面図である。
【図８】装置の底面図である。
【符号の説明】
１１  マルチフィルム切断装置
１３  上ローラ
１５  下ローラ
１７  山
１９  上部ハウジング
２１  下部ハウジング
２３  Ｖベルト
２５  駆動モータ
２７  フリーギアプーリ
２９  Ｖプーリ
３１  マルチフィルム
３３  駆動モータ
３５  取付アーム
３６  補助ローラ
３７  ロータリカッタ
３８  ガイド板
３９  スリット
４１  取手
【図１】
2005001057.tif 000003
【図２】
2005001057.tif 000004
【図３】
2005001057.tif 000005
【図４】
2005001057.tif 000006
【図５】
2005001057.tif 000007
【図６】
2005001057.tif 000008
【図７】
2005001057.tif 000009
【図８】
2005001057.tif 000010